(57)【特許請求の範囲】
【請求項１】
販売される商品が入られる小売り袋であって、
底部でつながっている第一第二の一対の側片部から成っており、
各側片部には、同じ高さの位置に取っ手用開口が形成されており、
第一の側片部には、取っ手用開口を上下方向にまたがるようにして封止片が設けられており、
封止片は、一端が第一の側片部の取っ手用開口の上側部外面に第一の接着材により貼り付けられ、他端が第一の側片部の取っ手用開口の下側部外面に第二の接着材により貼り付けられており、
封止片は、第一の側片部及び第二の側片部とは異なる材料で形成されており、
第一の接着材は、剥離剤層無しに封止片の一端を第一の側片部の取っ手用開口の上側部外面から剥がすことが可能なものであり且つ剥がした際に封止片に残留するものであって、第二の側片部の取っ手用開口の下側部外面に再接着可能なものであり、
第二の接着材は、剥離剤層無しに封止片の他端を第一の側片部の取っ手用開口の下側部外面から剥がすことが可能なものであり且つ剥がした際に封止片に残留するものであって、第二の側片部の取っ手用開口の上側部外面に再接着可能なものであり、
取っ手用開口を上下方向にまたがるようにして設けられた封止片の両側には、人の指が入る大きさの開口が残されていることを特徴とする小売り袋。
【請求項２】
前記封止片の一端の先端縁は、前記第一の側片部の取っ手用開口の上縁部表面に接着しておらず、
前記封止片の他端の先端縁は、前記第一の側片部の取っ手用開口の下縁部表面に接着していないことを特徴とする請求項１記載の小売り袋。
【請求項３】
前記第一の接着材及び前記第二の接着材は、封止片の一方の面の全面に被着している接着材層の一部であり、前記第一の接着材及び前記第二の接着材以外の領域において接着材層を覆って表面を非接着性にするカバー層が設けられていることを特徴とする請求項１又は２記載の小売り袋。
【請求項４】
前記カバー層は、印刷によって形成されていることを特徴とする請求項３記載の小売り袋。
【請求項５】
前記封止片には、入れられる商品の販売に関する情報又は袋の封止に関する情報が印刷されていることを特徴とする請求項１乃至４いずかに記載の小売り袋。
【請求項６】
前記封止片は、人の指の形に適合した湾曲部を有する形状であることを特徴とする請求項１乃至５いずれかに記載の小売り袋。
【請求項７】
前記封止片の長さは、前記第一の側片部の取っ手用開口の上側部外面から一端を剥がして前記第二の側片部の取っ手用開口の下側部外面に再接着した際、前記第一の側片部の取っ手用開口の下縁と前記第二の側片部の取っ手用開口の下縁とが離間した状態で双方の下縁にまたがるようにして封止できる長さであることを特徴とする請求項１乃至６いずれかに記載の小売り袋。
【発明の詳細な説明】
【技術分野】
【０００１】
本願の発明は、各種食品や日用品等を袋詰めして小売りする際に用いられる小売り袋に関するものである。
【背景技術】
【０００２】
スーパーマーケットや食料品店、量販店等では、食品や日用品等を袋詰めして小売りすることが行われている。例えば、ナスやピーマンのような小さめの野菜、果物等が袋詰めされて複数個単位で小売りされている。
このような袋詰めにおいて使用される袋（小売り袋）としては、ポリプロピレン製の透明袋が使用されることが多い。ある程度の個数の商品が詰め込まれた後、小売り袋の口がテープ等で止められ、売り場に並べられる。
【先行技術文献】
【特許文献】
【０００３】
【特許文献１】特開平７−２７７３４６号公報
【発明の概要】
【発明が解決しようとする課題】
【０００４】
このような小売り袋は、小売店にとっては間接費を生じるものであるため、まずできるだけ低コストであることが要請される。また、人件費を抑える観点から、袋詰めの作業が容易なことも必要である。
一方、袋の構造的な点についてみると、売り場に並べたり顧客が持ち帰ったりする際に便利なように取っ手が形成されていることが望ましい。また、詰めた商品が飛び出さないように開口は封止されることが望ましい。開口の封止は、売り場に並べられた後で顧客がバラのものを勝手に追加して増量する不正を防ぐ観点もある。
【０００５】
また、環境への配慮の点から言うと、剥離テープのような使用後に廃棄されるもの（ゴミ）が出ない構造であることも要請される。廃棄物が出ると、その分の処分費用がかかってくる。また、剥離テープのような小さいテープ片は、飛散し易く、集めて廃棄するのも面倒である。特に問題なのは、小さなテープ片が、商品が詰められた袋内に混入してしまうことである。テープ片の混入があると、イメージが悪くなるし、特に野菜や果物等の食品の場合には問題となり得る。
【０００６】
本願の発明は、このような観点を考慮して為されたものであり、安価な資材コストで袋詰めが可能であり、袋詰めの作業も容易で、且つ剥離テープのような廃棄物が出ない構造の小売り袋を提供する意義を有するものである。
【課題を解決するための手段】
【０００７】
上記課題を解決するため、本願の請求項１記載の発明は、販売される商品が入られる小売り袋であって、
底部でつながっている第一第二の一対の側片部から成っており、
各側片部には、同じ高さの位置に取っ手用開口が形成されており、
第一の側片部には、取っ手用開口を上下方向にまたがるようにして封止片が設けられており、
封止片は、一端が第一の側片部の取っ手用開口の上側部外面に第一の接着材により貼り付けられ、他端が第一の側片部の取っ手用開口の下側部外面に第二の接着材により貼り付けられており、
封止片は、第一の側片部及び第二の側片部とは異なる材料で形成されており、
第一の接着材は、剥離剤層無しに封止片の一端を第一の側片部の取っ手用開口の上側部外面から剥がすことが可能なものであり且つ剥がした際に封止片に残留するものであって、第二の側片部の取っ手用開口の下側部外面に再接着可能なものであり、
第二の接着材は、剥離剤層無しに封止片の他端を第一の側片部の取っ手用開口の下側部外面から剥がすことが可能なものであり且つ剥がした際に封止片に残留するものであって、第二の側片部の取っ手用開口の上側部外面に再接着可能なものであり、
取っ手用開口を上下方向にまたがるようにして設けられた封止片の両側には、人の指が入る大きさの開口が残されているという構成を有する。
また、上記課題を解決するため、請求項２記載の発明は、前記請求項１の構成において、前記封止片の一端の先端縁は、前記第一の側片部の取っ手用開口の上側部表面に接着しておらず、
前記封止片の他端の先端縁は、前記第一の側片部の取っ手用開口の下側部表面に接着していないという構成を有する。
また、上記課題を解決するため、請求項３記載の発明は、前記請求項１又は２の構成において、前記第一の接着材及び前記第二の接着材は、封止片の一方の面の全面に被着している接着材層の一部であり、前記第一の接着材及び前記第二の接着材以外の領域において接着材層を覆って表面を非接着性にするカバー層が設けられているという構成を有する。
また、上記課題を解決するため、請求項４記載の発明は、前記請求項３の構成において、前記カバー層は、印刷によって形成されているという構成を有する。
また、上記課題を解決するため、請求項５記載の発明は、前記請求項１乃至４いずれかの構成において、前記封止片には、入れられる商品の販売に関する情報又は袋の封止に関する情報が印刷されているという構成を有する。
また、上記課題を解決するため、請求項６記載の発明は、前記請求項１乃至５いずれかの構成において、前記封止片は、人の指の形に適合した湾曲部を有する形状であるという構成を有する。
また、上記課題を解決するため、請求項７記載の発明は、前記請求項１乃至６の構成において、前記封止片の長さは、前記第一の側片部の取っ手用開口の上側部外面から一端を剥がして前記第二の側片部の取っ手用開口の下側部外面に再接着した際、前記第一の側片部の取っ手用開口の下縁と前記第二の側片部の取っ手用開口の下縁とが離間した状態で双方の下縁にまたがるようにして封止できる長さであるという構成を有する。
【発明の効果】
【０００８】
以下に説明する通り、本願の請求項１記載の発明によれば、封止片の一端を第一の側片部の取っ手用開口の上側部外面から剥がし、第二の側片部の取っ手用開口の下側部外面に貼り付けるか、封止片の他端を第一の側片部の取っ手用開口の下側部外面から剥がして第二の側片部の取っ手用開口の上側部外面に貼り付けることで袋の口が封止される。このため、剥離テープのような廃棄物は生じず、余分なコストや廃棄コストは発生しない。また、飛散し易いテープ片が生じることもないので、テープ片を集めて廃棄するような面倒な作業はなく、小さなテープ片が、商品が詰められた袋内に混入してしまうこともない。さらに、封止片をそのままにした状態でも封止片の両側に人の指を入れることが開口が残されているので、そのままの状態でも取っ手を掴んで保持することができる。
また、請求項２記載の発明によれば、上記効果に加え、封止片の一端及び他端の各先端縁は接着されていないので、先端縁をつまんで剥がすことができ、封止の作業が容易となる。
また、請求項３記載の発明によれば、上記効果に加え、各接着材が封止片の一方の面の全面に被着している接着材層の一部であり、各接着材の以外の領域において接着材層を覆って表面を非接着性にするカバー層が設けられているので、製作コストを安価にしつつ、接着材層が不必要に露出することがない。このため、袋を重ねた際に袋同士がくっついてしまうことがなく、また持ち運びの際にべとついてしまうこともない。
また、請求項４記載の発明によれば、上記効果に加え、カバー層は、印刷によって形成されているので、製作が容易で、またカバー層の形成とともに必要な情報の印刷も併せて行うことができる。
また、請求項５記載の発明によれば、上記効果に加え、封止片に販売に関する情報又は封止に関する情報が印刷されているので、封止片を利用して顧客に情報を伝えることができ、商品を宣伝したり、又は封止の仕方について伝えたりすることができる。
また、請求項６記載の発明によれば、上記効果に加え、封止片は、人の指の形に適合した湾曲部を有する形状であるので、非封止状態において取っ手用開口に指を入れ易く、持ち運びのし易いものとなる。
また、請求項７記載の発明によれば、上記効果に加え、各側片部の取っ手用開口の下縁が離間している状態でも封止ができるので、収容される商品の量や大きさに応じた封止状態とすることができ、汎用性が高い。
【図面の簡単な説明】
【０００９】
【図１】実施形態に係る小売り袋の斜視概略図であり、小売り袋を立てて少し開いた状態を描いている。
【図２】図１に示す小売り袋の断面概略図であり、第一の側片部１の取っ手用開口４の上側部４１における断面構造を示したものである。
【図３】実施形態の小売り袋における封止片６の構造を示した斜視概略図である。
【図４】実施形態の小売り袋の使用方法について示した斜視概略図である。
【図５】実施形態の小売り袋の別の使用方法について示した斜視概略図である。
【図６】実施形態の小売り袋のさらに別の使用方法について示した斜視概略図である。
【図７】第二の実施形態の小売り袋の斜視概略図である。
【発明を実施するための形態】
【００１０】
次に、本願発明を実施するための形態（以下、実施形態）について説明する。
図１は、第一の実施形態に係る小売り袋の斜視概略図であり、小売り袋を立てて少し開いた状態を描いている。図１に示す小売り袋は、透明なプラスチック製の袋である。例えば、ＯＰＰ（二軸延伸ポリプロピレン）フィルムのようなポリプロピレンフィルムを使用することができる。この他、ＣＰＰ（無延伸ポリプロピレン）フィルムも使用でき、ＯＰＰとＣＰＰをラミネートしたフィルムも使用できる。
この小売り袋は、一対の側片部１，２と、側片部１，２をつないで形成された底片部３とから成っている。以下、一対の側片部１，２を、第一の側片部１、第二の側片部２とする。
【００１１】
図１に示すように、各側片部１，２には、同じ高さの位置に取っ手用開口４，５が形成されている。第一の側片部１に形成された取っ手用開口４を第一の取っ手用開口とし、第二の側片部２に形成された取っ手用開口５を第二の取っ手用開口とする。
各取っ手用開口４，５は、本実施形態では、横に長い長方形の左右に半円状の部分を設けたような形状の開口が形成されるようになっている。説明の都合上、各取っ手用開口４，５の下側の部位を下側部と呼び、上側の部位を上側部と呼ぶ。
【００１２】
図２は、図１に示す小売り袋の断面概略図であり、第一の取っ手用開口４の上側部４１における断面構造を示したものである。図１に示すように、第一の側片部１には、取っ手用開口４を上下方向にまたがるようにして封止片６が設けられている。図１に示すように、この実施形態では、封止片６は長方形である。尚、この明細書において「封止」とは、袋の口を止め、袋の口を成す縁がぶらぶらしないようにすることを意味するものである。
【００１３】
封止片６は、一端が第一の取っ手用開口４の上側部４１の外面に接着材７により貼り付けされている。また、図２に示すように、封止片６の他端は、第一の取っ手用開口４の下側部４２の外面に接着材７により貼り付けされている。尚、この明細書において、「接着」とは「粘着」も含む広い概念の用語となっている。
封止片６としては、ＰＥＴ（ポリエチレンテレフタレート）製のフィルムを用いることができる。
【００１４】
封止片６の両端を接着している各接着材７は、第一の側片部１の外面から剥がした際に封止片６に残留するものであり、且つ第二の側片部２の外面に再接着可能なものとなっている。第一第二の側片部１，２は同じ材質であるので、接着材７を適宜選定することでこの点は達成できる。
具体的には、第一第二の各側片部１，２がＯＰＰのようなポリプロピレン系フィルムであり、封止片６がＰＥＴフィルムである場合（両者が異なる材質である一例）、接着材７としては、アクリル系エマルジョン粘着材（例えばアクリル酸エステル共重合体）を使用することができる。アクリル系エマルジョン粘着材は、ポリプロピレンに対するよりはＰＥＴに対する方が粘着力が高い。このため、実施形態の接着材７として使用することができる。
【００１５】
図３は、実施形態の小売り袋における封止片６の構造を模式的に示した斜視概略図である。
実施形態において、接着材７は、封止片６の一端と他端とに設けられていれば足りる。しかしながら、図１に示すような小さな方形のシート片を形成してから、その両端の箇所にのみ接着材を設けることは難しく、高価な特注加工になってしまう。この実施形態では、この点を考慮し、接着材が全面被着したシート片を入手し、必要な加工を施すことで封止片６を得るようにしている。
【００１６】
具体的に説明すると、実施形態では、封止片６の一方の面の全面に接着材層７０が被着しており、接着材層７０を部分的に覆ったカバー層７１が設けられており、カバー層７１で覆われていない領域が接着材７となっている。図３において、カバー層７１で覆われた箇所が斜線のハッチングで示され、カバー層７１で覆われずに接着材層７０が露出している箇所がドットのハッチングで示されている。封止片６や各層７０，７１は、実際には薄いシートや層であるが、図３では、理解を容易にするため、厚みを持たせて模式的に示している。
【００１７】
カバー層７１としては、接着材層７０の接着性を解消できる塗料が使用されており、印刷により形成されている。例えば、紫外線硬化型のアクリル系ニスがカバー層７１として使用できる。この際、透明な塗料として封止片６を透明な状態としてもよく、多少色のついた塗料を使用して封止片６の色づけをしても良い。
尚、図３に示すように、カバー層７１は、封止片６の両側の先端縁にも狭い幅で形成されている。この点は、封止片６を剥がす際、先端縁を指で摘んで剥がし易くするためである。
【００１８】
加工方法の一例を説明すると、一方の面の全面に接着材層７０が被着している大きなシートを入手する。例えば、ＰＥＴを封止片６の材質とする場合、マルウ接着株式会社製のＰＥＴ＃５０エマルジョンＰＧＳ等が好適に使用できる。
このような接着材層７０付きの大きなシートに対し、必要な箇所に予めカバー層７１の印刷を行う。この印刷は、接着材層７０を部分的に覆う印刷であり、接着材層７０の接着性を無くす印刷である。
【００１９】
カバー層７０の印刷後、所定の箇所で切断して封止片６の大きさとし、剥離シートにいったん貼り付ける。そして、図１に示すように、取っ手用開口４をまたぐようにしてに第一の側片部１に貼り付ける。剥離シートにいったん貼り付ける点は、貼り付け作業の機械化を考慮したものである。尚、封止片６の第一の側片部１への貼り付けは、図１に示すように第一第二の側片部１，２及び底片部３で袋を形成した後でも良く、最初に第一の側片部１に封止片６を貼り付けてから袋を形成しても良い。
【００２０】
次に、図４〜図６を使用して、本実施形態の小売り袋の使用方法について説明する。図４〜図６は、実施形態の小売り袋の使用方法について示した斜視概略図である。
実施形態の小売り袋を使用する場合、例えば図４（１）に示すように、袋を開いた状態とし、商品ｇを入れる。次に、図４（２）に示すように、封止片６の一端を第一の取っ手用開口４の上側部４１から剥がす。
【００２１】
そして、双方の取っ手用開口４，５の下側部を突き合わせた状態とする。また、図４（２）に矢印で示すように、封止片６を第二の側片部２の側に折り曲げ、取っ手用開口４，５に挿通させる。そして、図３（４）に示すように、封止片６の一端を、第二の取っ手用開口５の下側部の外面に押し当て、残留している接着材７により接着する。これにより、袋の口が封止片６により封止された状態で商品ｇが袋詰めされる。
【００２２】
図４（４）から解るように、第一第二の側片部１，２において各取っ手用開口４，５の上側の部位は閉じ合わされた状態となり、この部分が取っ手となる。このため、この取っ手を握って袋を持って運ぶことができる。尚、図３に示すように、底片部３があるので、袋を広げた状態では、小売り袋は自立可能である。
【００２３】
図５には、別の使用方法が示されている。図５（１）に示すように、袋に商品ｇを入れる。次に、図５（２）に示すように、封止片６の下端を第一の取っ手用開口４の下側部４２から剥がし、双方の取っ手用開口４，５の上側部を突き合わせた状態とする。そして、図５（２）に矢印で示すように、封止片６を第二の側片部２の側に折り曲げ、取っ手用開口４，５に挿通させる。その上で、図５（３）に示すように、封止片６の他端を、第二の取っ手用開口５の上側部の外面に押し当て、残留している接着材７により接着する。図５に示す使用用法は、商品の収容量が多くなり、取っ手用開口４，５の下側部で閉じるのが難しい場合の使用方法である。
【００２４】
図６は、さらに別の使用方法が示されている。図４や図５に示す使用方法では、双方の取っ手用開口４，５の下縁又は上縁が突き合わされて閉じられた状態となっている。このような使用方法の他、実施形態の小売り袋は、図６に示すような方法で使用することができる。即ち、図６に示すように、双方の取っ手用開口４，５の下縁が離間して開いた状態とし、この状態で双方の下縁にまたがるようにして封止片６を貼り付ける。このような封止が可能なように、封止片６は、底片部３の幅に応じてある程度の長さを有している。
【００２５】
尚、図４と図６とを比較すると解るように、封止片６の一端又は他端が第二の側片部２に対して再接着される箇所は、その時々で異なる場所となり得る。接着材７は、第二の側片部２のどの箇所でも同じ材料なので、どの箇所においても再接着することができる。この点は、第一の側片部１においても同じであり、封止状態を調整するため、封止片６の一端又は他端をいったん剥がしてから第一の側片部１に再接着することもある。
【００２６】
上記のような小売り袋は、例えばスーパーの食料品売り場において好適に用いることができる。野菜又は果物等の商品は、段ボール箱に詰められて仕入れられるが、従業員が箱から出してこの小売り袋に所定数詰め、上述したように封止片６で封止して売り場に並べるようにする。
【００２７】
実施形態の小売り袋によれば、封止片６の一端又は他端を第一の取っ手用開口４の上側部４１又は下側部４２から剥がし、各取っ手用開口４，５を通して折り曲げ、第二の取っ手用開口５の下側部又は上側部の外面に貼り付けすることで袋の口が封止される。このため、剥離テープのような廃棄物は生じない。剥離テープのような廃棄物が生じるということは、その分だけ資材コストがかかっているということであり、また廃棄物の処分コストがかかることになる。実施形態の小売り袋ではこのようなコストは生じない。また、剥離テープのような飛散し易いテープ片が生じることもないので、テープ片を集めて廃棄するような面倒な作業はなく、小さなテープ片が、商品が詰められた袋内に混入してしまうこともない。
【００２８】
また、図３に示すように、封止片６の一端及び他端において、先端縁から僅かな幅でカバー層７１が形成されており、接着材７が露出しない領域を設けている。この理由は、封止の際の剥離を容易にするためである。即ち、他端の先端縁まで完全に接着材７が露出していると、第一の取っ手用開口４の上側部の外面に先端縁まで完全に封止片６が貼り付いていることになり、剥がしにくい。一方、図３に示すように先端縁から僅かに接着材７が形成されていない領域があると、この部分を摘んで剥がすことが容易となる。
【００２９】
尚、封止片６は、第一第二の側片部１，２及び底片部３から成る袋本体とは別の単独の部材となっている点は、製作を容易にする意義も有している。封止片６については、例えば、第一の側片部１に延設された部位（即ち、封止片部）とすることもできる。しかしながら、この場合、封止片部の先端は第一の取っ手用開口４の上側部と重なる程度の長さで延設される必要がある。この種の袋は、図１に示すように底片部３を介して第一第二の側片部１，２を貼り合わせた後、打ち抜き加工によって第一第二の取っ手用開口４，５を同時に形成する。この場合、封止片部が第一の取っ手用開口４の上側部４１から上方に延設されるように形成することは、打ち抜き加工のみでは難しい。
一方、実施形態の構造では、第一第二の取っ手用開口５を打ち抜き加工によって同時に形成し、その後、封止片６の両端を接着によって第一の取っ手用開口４をまたぐように第一の側片部１に貼り付ければ良く、製造が極めて容易である。
【００３０】
次に、第二の実施形態について説明する。図７は、第二の実施形態の小売り袋の斜視概略図である。
第二の実施形態の小売り袋は、封止片６の形状が異なるのみで、他の部分は第一の実施形態と同様である。図７に示すように、第二の実施形態における封止片６は、長方形の中腹部の両側に湾曲部６１を設けた形状であり、ひょうたん型とも言うべき形状である。湾曲部６１における湾曲は、人の指に適当した曲率となっている。
【００３１】
上記のような封止片６の形状は、図１や図４（１）に示すように封止片６が第一の取っ手用開口４を上下にまたがって貼り付けられた状態のままで使用される場合をも想定したものである。商品の収容量が少ない場合や、平べったい商品を収容する場合、袋の口は封止しない場合もある。このような場合、封止片６が第一の取っ手用開口４を上下にまたがって貼り付けられた状態のままで持ち運ぶことになる。この際に、指を入れ易いように湾曲部６１を設けた形状としている。尚、図４〜図６に示すような通常の使用（取っ手用開口４，５の下縁同士又は上縁同士にまたがって再接着される使用）がされる場合も、封止片６は特に問題なく使用される。尚、図１に示すように、第一の実施形態においても、封止片６の両側には人の指を入れることができる開口が残されており、上記と同様の使い方が可能である。
【００３２】
上記各実施形態において、製作のための加工コストは高くなるが、接着材層７０を封止片６の一方の面の特定の領域にのみ被着させるようにすれば、カバー層７１は不要である。また、カバー層７１を形成する場合、カバー層７１の形成は印刷によると説明したが、カバー層７１を形成しない場合も含めて、封止片６に何らかの情報を印刷によって表示する場合もあり得る。例えば、収容される商品の販売に関する情報が印刷され得る。「特価」とか、「セール品」とかいった価格に関する情報やキャッチコピー、「今が旬」、「初物」といった商品の販売時期に関する情報が挙げられる。また、「一端を剥がし、袋を閉じた後、再接着してください。」といった袋の封止に関する情報が印刷される場合もある。印刷を行う場合、封止片６は袋本体とは別個の部材なので、封止片６のみ印刷機に投入すれば良く、印刷が容易である。尚、カバー層７１が印刷によって形成される場合、カバー層７１の印刷と同時に各種情報の印刷をしても良く、別々に行っても良い。
【００３３】
上述した実施形態の小売り袋は、各商品の小売り用に用いることができ、生鮮食品の他、菓子、飲料、薬、日用品、雑貨等の小売りに使用することができる。また、一つのみの商品を入れて店頭に並べる場合もあり得る。一つのみの商品であっても、顧客が取っ手を持って持ち運ぶことができる利便性が重視されることがあるからである。
また、小売り袋の使用方法としては、顧客が売り場で商品を詰めるのに使用することもできる。例えば、鮮魚を売り場で顧客が袋詰めして買い物かごに入れる際に使用することができる。
【００３４】
上記各実施形態において、第一第二の側片部１，２はポリプロピレン系のフィルムであり、封止片６はＰＥＴより成るフィルムであったが、封止片６についても第一第二の側片部１，２と同様のポリプロピレン系としても良い。但しこの場合、接着材７の接着力が第一第二の側片部１，２と封止片６とで同様になってしまうので、接着材７の接着力が弱まるような表面処理（例えばコーティング）が第一第二の側片部１，２の外面に対して行われる。
【００３５】
また、上記各実施形態において、袋本体は、第一第二の側片部１，２と底片部３とから成るものであったが、薄い商品を入れる小売り袋である場合、第一第二の側片部１，２のみで袋本体が形成されることもあり得る。
尚、封止片６は、袋の口を部分的に止めて双方の縁がぶらぶらしないようにするものであったが、袋の口を完全に止める（封鎖する）ようにすることを排除するものではない。例えば、図４に示す使用方法において、封止片６の幅を取っ手用開口４，５の幅と同程度としておけば、取っ手用開口４，５の部分は封止片６により完全に閉じられることになる。この場合、取っ手用開口４，５の左右の部分において各側片部１，２が最初から閉じている構造とすれば、封止片６により袋の口は完全に封止されることになる。
【符号の説明】
【００３６】
１  第一の側片部
２  第二の側片部
３  底片部
４  第一の取っ手用開口
４１  上側部
４２  下側部
５  第二の取っ手用開口
６  封止片
７  接着材
７０  接着材層
７１  カバー層
【要約】
【課題】  安価な資材コストで袋詰めが可能であり、袋詰めの作業も容易で、且つ剥離テープのような廃棄物が出ない構造の小売り袋を提供する。
【解決手段】  第一の側片部１の取っ手用開口４を上下方向にまたがるようにして封止片６が設けられている。封止片６の一端は取っ手用開口４の上側部外面４１に接着材７により貼り付けられ、他端は取っ手用開口４の下側部外面４２に接着材７により貼り付けられ、各接着材７は、封止片６が第一の側片部１から剥がされた際、封止片６に残留するものであり、第二の側片部２の外面に再接着可能なものである。
【選択図】  図４【図１】
0005543649.tif 000002
【図２】
0005543649.tif 000003
【図３】
0005543649.tif 000004
【図４】
0005543649.tif 000005
【図５】
0005543649.tif 000006
【図６】
0005543649.tif 000007
【図７】
0005543649.tif 000008